(57)【要約】【課題】簡易にユーザのプライバシーを確保しつつ、そのユーザに適した情報提供が可能な情報処理システム、情報処理方法及び情報処理プログラムを提供する。【解決手段】グループウェアサーバ１０は、送信可否情報を送信する。更に、グループウェアサーバ１０は、ＰＣ３０からの接続要求情報を受信すると、ユーザ情報内の属性情報を特定、送信する。一方、広告サーバ２０は、送信可否情報及び属性情報を受信すると、属性情報に対応づけられ、且つ、送信可否情報に基づいて送信が可能であるとみなされる広告コンテンツデータを特定して、グループウェアサーバ１０へ送信する。グループウェアサーバ１０は、受信した広告コンテンツデータとログイン画面データとをＰＣ３０へ送信する。ＰＣ３０は、広告画像を含んだログイン画面を表示する。【選択図】図１
2013152521.tif 000002
【特許請求の範囲】
【請求項１】
第１のサーバ及び第２のサーバを備え、グループウェアを使用する端末装置へ情報を提供する情報処理システムであって、
前記第１のサーバは、
ユーザを一意に識別可能な個人情報と前記個人情報以外の情報であって前記ユーザの属性を示す属性情報とからなるユーザ情報を記憶するユーザ情報記憶手段と、
前記端末装置が前記第１のサーバに接続した場合に、前記ユーザ情報記憶手段に記憶された前記ユーザ情報のうち、前記端末装置を操作している前記ユーザのユーザ情報に含まれる属性情報を前記第２のサーバへ送信する属性情報送信手段と、
を備え、
前記第２のサーバは、
前記属性情報に対応付けられた提供情報を記憶する提供情報記憶手段と、
前記属性情報を受信する属性情報受信手段と、
前記提供情報記憶手段に記憶された前記提供情報のうち、前記属性情報受信手段により受信された前記属性情報に対応付けられた提供情報を前記端末装置へ送信する提供情報送信手段と、
を備えることを特徴とする情報処理システム。
【請求項２】
前記第１のサーバは、
前記提供情報の送信の可否を示す送信可否情報を記憶する送信可否情報記憶手段と、
前記送信可否情報記憶手段に記憶された前記送信可否情報を前記第２のサーバへ送信する送信可否情報送信手段と、
を備え、
前記第２のサーバは、
前記送信可否情報を受信する送信可否情報受信手段を備え、
前記提供情報送信手段は、
前記提供情報記憶手段に記憶された前記提供情報のうち、前記属性情報受信手段により受信された前記属性情報に対応付けられ、且つ、前記送信可否情報受信手段により受信された前記送信可否情報に基づいて送信が可能であると判断された提供情報を前記端末装置へ送信することを特徴とする請求項１に記載の情報処理システム。
【請求項３】
前記第２のサーバは、
前記端末装置から送信される、前記端末装置を操作しているユーザが前記提供情報を選択したことを示す選択情報を受信する選択情報受信手段を備えることを特徴とする請求項１又は２に記載の情報処理システム。
【請求項４】
前記ユーザ情報記憶手段に記憶された前記ユーザ情報に含まれる前記属性情報を特定する属性情報特定手段を備える請求項１〜３の何れか１項に記載の情報処理システム。
【請求項５】
第１のサーバ及び第２のサーバを備え、グループウェアを使用する端末装置へ情報を提供する情報処理システムにおける情報処理方法であって、
前記第１のサーバが、
ユーザを一意に識別可能な個人情報と前記個人情報以外の情報であって前記ユーザの属性を示す属性情報とからなるユーザ情報を記憶するユーザ情報記憶ステップと、
前記端末装置が前記第１のサーバに接続した場合に、記憶された前記ユーザ情報のうち、前記端末装置を操作している前記ユーザのユーザ情報に含まれる属性情報を前記第２のサーバへ送信する属性情報送信ステップと、
前記第２のサーバが、
前記属性情報に対応付けられた提供情報を記憶する提供情報記憶ステップと、
前記属性情報を受信する属性情報受信ステップと、
記憶された前記提供情報のうち、受信された前記属性情報に対応付けられた提供情報を前記端末装置へ送信する提供情報送信ステップと、
を含むことを特徴とする情報処理方法。
【請求項６】
コンピュータを、
ユーザを一意に識別可能な個人情報と前記個人情報以外の情報であって前記ユーザの属性を示す属性情報とからなるユーザ情報を記憶するユーザ情報記憶手段、
グループウェアを使用する端末装置が前記コンピュータに接続した場合に、前記ユーザ情報記憶手段に記憶された前記ユーザ情報のうち、前記端末装置を操作している前記ユーザのユーザ情報に含まれる属性情報を他のコンピュータへ送信する属性情報送信手段、
として機能させる情報処理プログラム。
【請求項７】
コンピュータを、
ユーザを一意に識別可能な個人情報以外の情報であって前記ユーザの属性を示す属性情報に対応付けられた提供情報を記憶する提供情報記憶手段、
前記属性情報を受信する属性情報受信手段、
前記提供情報記憶手段に記憶された前記提供情報のうち、前記属性情報受信手段により受信された前記属性情報に対応付けられた提供情報を、グループウェアを使用する端末装置へ送信する提供情報送信手段、
として機能させる情報処理プログラム。
【発明の詳細な説明】
【技術分野】
【０００１】
本発明は、情報処理システム、情報処理方法及び情報処理プログラムに関する。
【背景技術】
【０００２】
近年、パーソナルコンピュータ（ＰＣ）をはじめとする端末装置に対して、広告等の様々な情報を提供することが行われている（例えば、特許文献１参照）。このような情報提供を行うサーバは、端末装置を操作するユーザの属性に関する様々な情報（属性情報）を取得し、そのユーザの属性に応じた適切な情報を提供する。
【先行技術文献】
【特許文献】
【０００３】
【特許文献１】特開２０１１−２４７９１４号公報
【発明の概要】
【発明が解決しようとする課題】
【０００４】
しかし、従来の情報提供においては、属性情報には、氏名、住所等のユーザを一意に識別可能な個人情報も含まれる。このため、ユーザのプライバシーを確保することが困難な場合があった。
【０００５】
本発明は上記実情に鑑みてなされたものであり、簡易にユーザのプライバシーを確保しつつ、そのユーザに適した情報提供が可能な情報処理システム、情報処理方法及び情報処理プログラムを提供することを目的とする。
【課題を解決するための手段】
【０００６】
上記目的を達成するため、本発明の第１の観点に係る情報処理システムは、
第１のサーバ及び第２のサーバを備え、グループウェアを使用する端末装置へ情報を提供する情報処理システムであって、
前記第１のサーバは、
ユーザを一意に識別可能な個人情報と前記個人情報以外の情報であって前記ユーザの属性を示す属性情報とからなるユーザ情報を記憶するユーザ情報記憶手段と、
前記端末装置が前記第１のサーバに接続した場合に、前記ユーザ情報記憶手段に記憶された前記ユーザ情報のうち、前記端末装置を操作している前記ユーザのユーザ情報に含まれる属性情報を前記第２のサーバへ送信する属性情報送信手段と、
を備え、
前記第２のサーバは、
前記属性情報に対応付けられた提供情報を記憶する提供情報記憶手段と、
前記属性情報を受信する属性情報受信手段と、
前記提供情報記憶手段に記憶された前記提供情報のうち、前記属性情報受信手段により受信された前記属性情報に対応付けられた提供情報を前記端末装置へ送信する提供情報送信手段と、
を備えることを特徴とする。
【０００７】
前記第１のサーバは、
前記提供情報の送信の可否を示す送信可否情報を記憶する送信可否情報記憶手段と、
前記送信可否情報記憶手段に記憶された前記送信可否情報を前記第２のサーバへ送信する送信可否情報送信手段と、
を備え、
前記第２のサーバは、
前記送信可否情報を受信する送信可否情報受信手段を備え、
前記提供情報送信手段は、
前記提供情報記憶手段に記憶された前記提供情報のうち、前記属性情報受信手段により受信された前記属性情報に対応付けられ、且つ、前記送信可否情報受信手段により受信された前記送信可否情報に基づいて送信が可能であると判断された提供情報を前記端末装置へ送信するようにしてもよい。
【０００８】
前記第２のサーバは、
前記端末装置から送信される、前記端末装置を操作しているユーザが前記提供情報を選択したことを示す選択情報を受信する選択情報受信手段を備えるようにしてもよい。
【０００９】
前記ユーザ情報記憶手段に記憶された前記ユーザ情報に含まれる前記属性情報を特定する属性情報特定手段を備えるようにしてもよい。
【００１０】
上記目的を達成するため、本発明の第２の観点に係る情報処理方法は、
第１のサーバ及び第２のサーバを備え、グループウェアを使用する端末装置へ情報を提供する情報処理システムにおける情報処理方法であって、
前記第１のサーバが、
ユーザを一意に識別可能な個人情報と前記個人情報以外の情報であって前記ユーザの属性を示す属性情報とからなるユーザ情報を記憶するユーザ情報記憶ステップと、
前記端末装置が前記第１のサーバに接続した場合に、記憶された前記ユーザ情報のうち、前記端末装置を操作している前記ユーザのユーザ情報に含まれる属性情報を前記第２のサーバへ送信する属性情報送信ステップと、
前記第２のサーバが、
前記属性情報に対応付けられた提供情報を記憶する提供情報記憶ステップと、
前記属性情報を受信する属性情報受信ステップと、
記憶された前記提供情報のうち、受信された前記属性情報に対応付けられた提供情報を前記端末装置へ送信する提供情報送信ステップと、
を含むことを特徴とする。
【００１１】
上記目的を達成するため、本発明の第３の観点に係る情報処理プログラムは、
コンピュータを、
ユーザを一意に識別可能な個人情報と前記個人情報以外の情報であって前記ユーザの属性を示す属性情報とからなるユーザ情報を記憶するユーザ情報記憶手段、
グループウェアを使用する端末装置が前記コンピュータに接続した場合に、前記ユーザ情報記憶手段に記憶された前記ユーザ情報のうち、前記端末装置を操作している前記ユーザのユーザ情報に含まれる属性情報を他のコンピュータへ送信する属性情報送信手段、
として機能させる。
【００１２】
上記目的を達成するため、本発明の第４の観点に係る情報処理プログラムは、
コンピュータを、
ユーザを一意に識別可能な個人情報以外の情報であって前記ユーザの属性を示す属性情報に対応付けられた提供情報を記憶する提供情報記憶手段、
前記属性情報を受信する属性情報受信手段、
前記提供情報記憶手段に記憶された前記提供情報のうち、前記属性情報受信手段により受信された前記属性情報に対応付けられた提供情報を、グループウェアを使用する端末装置へ送信する提供情報送信手段、
として機能させる。
【発明の効果】
【００１３】
本発明によれば、簡易にユーザのプライバシーを確保しつつ、そのユーザに適した情報提供が可能となる。
【図面の簡単な説明】
【００１４】
【図１】本発明の実施形態に係る情報処理システムの構成を示す図である。
【図２】本発明の実施形態に係るグループウェアサーバの構成を示す図である。
【図３】本発明の実施形態に係るユーザ情報の構成を示す図である。
【図４】本発明の実施形態に係る送信可否情報の構成を示す図である。
【図５】本発明の実施形態に係る広告サーバの構成を示す図である。
【図６】本発明の実施形態に係る広告情報の構成を示す図である。
【図７】本発明の実施形態に係る情報処理システムの動作を示すシーケンス図である。
【図８】本発明の実施形態に係るＰＣにおける表示画像の一例を示す図である。
【発明を実施するための形態】
【００１５】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることができるのはもちろんである。また、図中同一または相当部分には同一符号を付す。
【００１６】
本発明の実施形態に係る情報処理システム１の構成について説明する。
【００１７】
情報処理システム１は、図１に示すように、第１のサーバとしてのグループウェアサーバ１０と、第２のサーバとしての広告サーバ２０とにより構成される。情報処理システム１は、グループウェアを使用する端末装置としてのパーソナルコンピュータ（ＰＣ）３０−１、３０−２、３０−３（これらＰＣ３０−１、３０−２、３０−３をまとめて、適宜「ＰＣ３０」と称する。）がグループウェアサーバ１０に接続してログインする際に、広告サーバ２０からの提供情報である広告コンテンツデータに対応する広告の画像をＰＣ３０に表示させる。
【００１８】
本発明の実施形態において、グループウェアサーバ１０及びＰＣ３０は、企業内に設けられ、広告サーバ２０は、企業外に設けられる。グループウェアサーバ１０は、ＬＡＮ（Local Area Network）４０に接続され、当該ＬＡＮ４０を介してインターネット５０に接続される。広告サーバ２０は、インターネット５０に接続される。ＰＣ３０は、ＬＡＮ４０に接続される。このような接続形態により、グループウェアサーバ１０、広告サーバ２０及びＰＣ３０は、相互に通信を行うことができる。
【００１９】
グループウェアサーバ１０は、図２に示すように、通信部１１、記憶部１２、制御部１３、及び、各部を相互に接続するシステムバス１４を備える。
【００２０】
通信部１１は、ネットワークカード等を備える。通信部１１は、インターネット５０を介して、広告サーバ２０及びＰＣ３０とデータの送信及び受信を行う。
【００２１】
記憶部１２は、ＲＡＭ（Random Access Memory）、ＲＯＭ（Read Only Memory）、補助記憶装置等の記憶装置によって構成され、各種のデータ、及び、各種のプログラムを記憶する。また、記憶部１２は、制御部１３の作業領域となる。また、記憶部１２は、ユーザ情報データベース（ＤＢ）１２１及び送信可否情報データベース（ＤＢ）１２２を備える。
【００２２】
ユーザ情報ＤＢ１２１は、ＰＣ３０のユーザを一意に識別可能な情報として定められた個人情報と、当該個人情報以外の情報であってＰＣ３０のユーザの属性を示す属性情報とからなるユーザ情報を格納する。
【００２３】
図３に示すように、ユーザ情報は、ユーザＩＤ、氏名、住所、地域、生年月日、年代、性別、職種、業種等により構成される。ユーザＩＤは、例えば、ユーザがＰＣ３０を利用する際に当該ＰＣ３０に入力されるＩＤである。氏名はユーザＩＤに対応するユーザの氏名である。住所はユーザＩＤに対応するユーザの住所である。地域は住所のうち、例えば都道府県である。生年月日はユーザＩＤに対応するユーザの生年月日である。年代は生年月日から得られる年齢の１０の位を示す情報である。性別はユーザＩＤに対応するユーザの性別である。職種はユーザＩＤに対応するユーザの職種である。業種はユーザＩＤに対応するユーザの勤務する企業の業種である。本実施形態では、これらの情報のうち、氏名、住所、生年月日、職種は個人情報であり、地域、年代、性別、業種は属性情報である。
【００２４】
送信可否情報ＤＢ１２２は、広告サーバ２０が送信可能な広告コンテンツデータの送信の可否を示す送信可否情報を格納する。
【００２５】
図４に示すように、送信可否情報は、送信禁止広告主文字列及び送信禁止広告文字列等により構成される。送信禁止広告主文字列は、送信を禁止すべき広告コンテンツデータの広告主の文字列である。例えば、送信禁止広告主は、ＰＣ３０のユーザが勤務する企業と競合する企業である。送信禁止広告文字列は、送信を禁止すべき広告コンテンツデータの文字列である。例えば、送信禁止文字列は、ＰＣ３０のユーザが勤務する企業と競合する企業が販売する商品の文字列である。但し、送信可否情報は、図４の構成に限定されず、送信を許可する広告主の情報及び送信を許可する広告の文字列等により構成されていてもよい。
【００２６】
再び、図２に戻って説明する。制御部１３は、マイクロプロセッサユニット等により構成される。制御部１３は、記憶部１２に記憶されているプログラムを実行することで、グループウェアサーバ１０全体の動作（各部の動作）を制御する。
【００２７】
制御部１３は、通信部１１を介して、ＰＣ３０からのグループウェアへのログイン要求を示す接続要求情報を受信する。また、制御部１３は、通信部１１を介して、属性情報及び送信可否情報を広告サーバ２０へ送信する。また、制御部１３は、通信部１１を介して、広告サーバ２０からの広告コンテンツデータを受信する。また、制御部１３は、通信部１１を介して、ＰＣ３０へグループウェアのログイン画面データと広告コンテンツデータとを送信する。
【００２８】
広告サーバ２０は、図５に示すように、通信部２１、記憶部２２、制御部２３、及び、各部を相互に接続するシステムバス２４を備える。
【００２９】
通信部２１は、ネットワークカード等を備える。通信部２１は、インターネット５０を介して、ＰＣ３０とデータの送信及び受信を行う。
【００３０】
通信部２１は、ネットワークカード等を備える。通信部２１は、インターネット５０を介して、グループウェアサーバ１０及びＰＣ３０とデータの送信及び受信を行う。
【００３１】
記憶部２２は、ＲＡＭ（Random Access Memory）、ＲＯＭ（Read Only Memory）、補助記憶装置等の記憶装置によって構成され、各種のデータ、及び、各種のプログラムを記憶する。また、記憶部２２は、制御部２３の作業領域となる。また、記憶部２２は、広告情報データベース（ＤＢ）２２１及び送信可否情報データベース（ＤＢ）２２２を備える。
【００３２】
広告情報ＤＢ２２１は、提供情報としての広告コンテンツデータを含む広告情報を格納する。
【００３３】
図６に示すように、広告情報は、広告主文字列、送信対象判別情報、広告コンテンツデータにより構成される。広告主文字列は、広告コンテンツデータを出稿する者（広告主）の文字列である。送信対象判別情報は、広告コンテンツデータの送信対象となるユーザを判別する情報であり、地域、業種、性別、年代等により構成される。広告コンテンツデータは、当該広告コンテンツデータを一意に識別可能な広告ＩＤ、広告の画像、文字列、表示された広告の画像に対するクリック操作が行われた場合にアクセスされるリンク先のＵＲＬ（Uniform Resource Locator）、広告サーバ２０のＵＲＬ等を含む。
【００３４】
送信可否情報ＤＢ２２２は、送信可否情報を格納する。送信可否情報は、図４に示す構成を有する。
【００３５】
再び、図５に戻って説明する。制御部２３は、マイクロプロセッサユニット等により構成される。制御部２３は、記憶部２２に記憶されているプログラムを実行することで、広告サーバ２０全体の動作（各部の動作）を制御する。
【００３６】
制御部２３は、通信部２１を介して、グループウェアサーバ１０からの送信可否情報及び属性情報を受信する。制御部２３は、通信部２１を介して、ＰＣ３０からの当該ＰＣ３０を操作しているユーザが表示された広告の画像に対するクリック操作を行ったことを示す選択情報を受信する。また、制御部２３は、通信部２１及びグループウェアサーバ１０を介してＰＣ３０へ広告コンテンツデータを送信する。
【００３７】
次に、図７を参照しつつ、本発明の実施形態に係る情報処理システム１の動作について説明する。
【００３８】
グループウェアサーバ１０内の制御部１３は、所定のタイミング（例えば、グループウェアサーバ１０の管理者の操作指示によって送信可否情報が生成され、送信可否情報ＤＢ１２２に格納されたタイミング）において、送信可否情報ＤＢ１２２に格納されている送信可否情報を読み出し、通信部１１、ＬＡＮ４０及びインターネット５０を介して広告サーバ２０へ送信する。広告サーバ２０内の制御部２３は、通信部２１を介して、送信可否情報を受信する（ステップＳ１０１）。
【００３９】
次に、広告サーバ２０内の制御部２３は、ステップＳ１０１において受信した送信可否情報を記憶部２２内の送信可否情報ＤＢ２２２に格納する（ステップＳ１０２）。
【００４０】
その後、ＰＣ３０は、ユーザが図示しない操作部を用いて、グループウェアへのログインを要求するための操作を行った場合、通信部１１を及びＬＡＮ４０を介して、グループウェアへのログイン要求を示す接続要求情報を送信する。接続要求情報は、ユーザＩＤを含む。グループウェアサーバ１０内の制御部１３は、通信部１１を介して、接続要求情報を受信する（ステップＳ１０３）。
【００４１】
次に、グループウェアサーバ１０内の制御部１３は、ステップＳ１０３において受信した接続要求情報に含まれるユーザＩＤを抽出する（ステップＳ１０４）。次に、制御部１３は、ステップＳ１０４において抽出したユーザＩＤをキーとして、ユーザ情報ＤＢ１２１内のユーザ情報を検索し、そのユーザＩＤを含むユーザ情報を抽出する（ステップＳ１０５）。
【００４２】
次に、制御部１３は、ステップＳ１０５において抽出したユーザ情報に含まれる各情報のうち、属性情報を特定する（ステップＳ１０６）。例えば、記憶部１２は、予めユーザ情報内の属性情報の位置を示す情報（レコード位置情報）を記憶している。この場合、制御部１３は、レコード位置情報に基づいて、ユーザ情報内の属性情報を特定する。あるいは、ユーザ情報に含まれる各情報には、予めその情報が個人情報であるか否かを示すフラグ（個人情報フラグ）が設定されている。個人情報フラグは「１」の場合、対応する情報が個人情報であることを示し、「０」の場合、対応する情報が個人情報以外の情報、すなわち、属性情報であることを示す。この場合、制御部１３は、「０」である個人情報フラグが設定されている情報を属性情報と判断する。
【００４３】
次に、制御部１３は、通信部１１、ＬＡＮ４０及びインターネット５０を介して、ステップＳ１０６において特定した属性情報を広告サーバ２０へ送信する。広告サーバ２０内の制御部２３は、通信部２１を介して、属性情報を受信する（ステップＳ１０７）。
【００４４】
次に、広告サーバ２０内の制御部２３は、ステップＳ１０７において受信した属性情報に対応づけられ、且つ、ステップＳ１０２において送信可否情報ＤＢ２２２に格納した送信可否情報に基づいて送信が可能であるとみなされる広告コンテンツデータを特定する（ステップＳ１０８）。
【００４５】
具体的には、制御部２３は、広告情報ＤＢ２２１に含まれる広告情報のうち、送信対象判別情報がステップＳ１０７において受信した属性情報と一致する広告情報を抽出する。次に、制御部２３は、送信可否情報ＤＢ２２２から送信可否情報を読み出す。次に、制御部２３は、抽出した広告情報のうち、広告主文字列が読み出した送信可否情報内の送信禁止広告主文字列と一致しない広告情報を特定する。次に、制御部２３は、特定した広告情報のうち、広告コンテンツデータ内の文字列が読み出した送信可否情報内の送信禁止文字列と一致しない広告情報内の広告コンテンツデータを特定する。
【００４６】
次に、制御部２３は、ステップＳ１０８において特定した広告コンテンツデータを、通信部２１、インターネット５０を介して、グループウェアサーバ１０へ送信する。グループウェアサーバ１０内の制御部１３は、ＬＡＮ４０及び通信部１１を介して、広告コンテンツデータを受信する（ステップＳ１０９）。
【００４７】
次に、グループウェアサーバ１０内の制御部１３は、グループウェアへのログインを可能とする画面であるログイン画面のデータ（ログイン画面データ）と、ステップＳ１０９において受信した広告コンテンツデータとを、通信部１１及びＬＡＮ４０を介してＰＣ３０へ送信する。ＰＣ３０は、ログイン画面データ及び広告コンテンツデータを受信する（ステップＳ１１０）。
【００４８】
ＰＣ３０は、受信したログイン画面データに基づいて生成されるログイン画面であって、受信した広告コンテンツデータに基づいて生成される広告画像を含んだログイン画面を表示する（ステップＳ１１１）。例えば、ログイン画面は、図８に示すように、ログインＩＤの入力欄４０１、パスワードの入力欄４０２、ログイン操作時に押下されるログインボタン４０３、広告画像４０４の各画像を含んで構成される。
【００４９】
広告画像４０４を含んだログイン画面が表示された状態において、ＰＣ３０のユーザは、図示しない操作部を用いて、広告画像４０４に対するクリック操作を行うことができる。この場合、ＰＣ３０は、広告画像４０４に対するクリック操作を確認する（ステップＳ１１２）。広告画像４０４に対するクリック操作を確認した場合、ＰＣ３０は、ユーザが広告画像４０４に対するクリック操作を行ったことを示す選択情報を、ＬＡＮ４０、インターネット５０を介して広告サーバ２０へ送信する。選択情報の送信先は、広告コンテンツデータに含まれる広告サーバ２０のＵＲＬにより特定される。選択情報には、広告コンテンツデータ内の広告ＩＤが含まれる。広告サーバ２０内の制御部２３は、通信部２１を介して選択情報を受信する（ステップＳ１１３）。
【００５０】
広告サーバ２０内の制御部２３は、ステップ１１３において選択情報を受信する毎に、広告画像４０４に対するクリック数をカウントする（ステップＳ１１４）。具体的には、制御部２３は、受信した選択情報内の広告ＩＤを抽出する。次に、制御部２３は、予め記憶部２２に広告ＩＤ毎に用意されたカウント情報のうち、抽出した広告ＩＤに対応するカウント情報を１だけ増加させる。
【００５１】
以上説明したように、本実施形態の情報処理システム１において、グループウェアサーバ１０は、送信可否情報を送信する。更に、グループウェアサーバ１０は、ＰＣ３０からの接続要求情報を受信すると、ユーザ情報内の属性情報を特定、送信する。一方、広告サーバ２０は、送信可否情報及び属性情報を受信すると、属性情報に対応づけられ、且つ、送信可否情報に基づいて送信が可能であるとみなされる広告コンテンツデータを特定して、グループウェアサーバ１０へ送信する。グループウェアサーバ１０は、受信した広告コンテンツデータとログイン画面データとをＰＣ３０へ送信する。ＰＣ３０は、広告画像を含んだログイン画面を表示する。
【００５２】
これにより、グループウェアサーバ１０が、ユーザ情報内の氏名、住所等の個人情報を広告サーバ２０へ送信しなくても、ＰＣ３０のユーザの属性に応じた広告コンテンツデータが広告サーバ２０からグループウェアサーバ１０を介してＰＣ３０へ送られ、当該ＰＣ３０においてＰＣ３０のユーザの属性に応じた広告画像が表示される。従って、簡易にユーザのプライバシーを確保しつつ、そのユーザに適した情報提供が可能となる。
【００５３】
また、グループウェアサーバ１０が送信可否情報を広告サーバ２０へ送信し、広告サーバ２０は、受信した送信可否情報に基づいて送信が可能である広告コンテンツデータのみをグループウェアサーバ１０を介してＰＣ３０へ送信する。従って、ＰＣ３０のユーザにとって適切でないと見なされる広告コンテンツデータ、例えば、ＰＣ３０のユーザが勤務する企業と競合する企業が広告主となっている広告コンテンツデータや、当該競合する企業が販売する商品の広告コンテンツデータについては、当該ＰＣ３０のユーザの属性に応じたものであっても、ＰＣ３０には送られず、広告画像も表示されないようにすることができる。
【００５４】
また、広告サーバ２０は、ユーザが広告画像に対するクリック操作を行ったことを示す選択情報を、ＰＣ３０から受信し、広告画像に対するクリック数をカウントする。従って、ＰＣ３０のユーザが広告画像に対する興味を示したことを数値化することができる。換言すれば、広告効果を測定することができる。
【００５５】
なお、上記実施形態は、種々の変形、および、応用が可能である。例えば、上記実施形態では、広告サーバ２０は、広告コンテンツデータを、グループウェアサーバ１０を介してＰＣ３０へ送信したが、グループウェアサーバ１０を介さずにＰＣ３０へ送信してもよい。この場合には、例えば、グループウェアサーバ１０は、接続要求情報の送信元の情報である、ＰＣ３０を一意に識別する情報（例えば、ＩＰアドレス等）を、属性情報に含ませて広告サーバ２０へ送信する。広告サーバ２０は、広告コンテンツデータを送信する際に、属性情報に含まれるＩＰアドレス等を宛先に設定して送信する。
【００５６】
また、上述した実施形態では、提供情報が広告コンテンツデータである場合について説明したが、他の情報が提供情報となる場合にも、同様に本発明を適用することができる。
【００５７】
また、例えば、コンピュータがプログラムを実行することで、グループウェアサーバ１０及び広告サーバ２０の機能を実現してもよい。また、グループウェアサーバ１０及び広告サーバ２０の機能を実現するためのプログラムは、ＣＤ−ＲＯＭ等の記憶媒体に記憶されてもよいし、ネットワークを介してコンピュータにダウンロードされてもよい。
【符号の説明】
【００５８】
１  情報処理システム
１０  グループウェアサーバ
１１、２１  通信部
１２、２２  記憶部
１３、２３  制御部
１４、２４  システムバス
２０  広告サーバ
３０  ＰＣ
４０  ＬＡＮ
５０  インターネット
１２１  ユーザ情報ＤＢ
１２２、２２２  送信可否情報ＤＢ
２２１  広告情報ＤＢ
【図１】
2013152521.tif 000003
【図２】
2013152521.tif 000004
【図３】
2013152521.tif 000005
【図４】
2013152521.tif 000006
【図５】
2013152521.tif 000007
【図６】
2013152521.tif 000008
【図７】
2013152521.tif 000009
【図８】
2013152521.tif 000010